(57)【要約】【課題】ＭＲ撮像において被検者の対象部位の一部分（例えば、鼻、耳など）が小径の受信コイルに干渉してセッティングが困難な部分を解決して、受信感度を向上させた小径の受信コイルを提供することである。【解決手段】ＭＲＩ装置の受信コイルにおいて、受信コイルが上側と下側コイルに分断可能な構造を有し、上側受信コイルに設けられた接続部品を具備する第１モードと、該接続部品が取り外され開放部分を有するコネクタカバー部品を具備する第２モードとを有し、被検者と上側受信コイルとの干渉状態に応じて、第１モードと第２モードとを切り換えるモード切り換え回路を備えることを特徴とする。【選択図】図４
2014158526.tif 000002
【特許請求の範囲】
【請求項１】
撮影対象である被検者の頭部を収容する空間の軸方向に向かって同軸的に配置された受信コイルを有し、
前記受信コイルは、コイルループの途中に設けられた接続部品を具備する第１モード、又は該接続部品が取り外され該コイルループが分断されてなる開放部分を有するコネクタカバー部品を具備する第２モードのいずれかを有し、
前記被検者の一部との干渉状態に応じて、前記第１モードと前記第２モードとを切り換えるモード切り換え回路を備えることを特徴とする受信コイル。
【請求項２】
前記受信コイルは、前記被検者の頭部を定位置に固定する器具に装着される第１の部分コイルと、該第１の部分コイルと着脱可能に接続され前記頭部の前面と対向して配置される第２の部分コイルとで構成され、
前記第２の部分コイルは、該第２の部分コイルを構成するコイルループの途中に設けられた接続部品を具備する第１モード、又は該接続部品が取り外され該コイルループが分断されてなる開放部分を有するコネクタカバー部品を具備する第２モードのいずれかを有することを特徴とする請求項１に記載の受信コイル。
【請求項３】
前記モード切り換え回路は、前記受信コイルに前記接続部品、又は前記コネクタ部品を取り付けることにより前記第１モード、又は前記第２モードに切り替えることを特徴とする請求項１に記載の受信コイル。
【請求項４】
前記受信コイルは、少なくとも２つの並列するコイルエレメントで構成され、
前記コイルエレメントの各々には、複数のコンデンサが直列接続され、
それぞれのコンデンサは、互いに並列に配置されていることを特徴とする請求項１に記載の受信コイル。
【請求項５】
前記接続部品は、制御信号に基づいて前記２つの並列するコイルエレメントが活性状態になるように結線された回路を具備することを特徴とする請求項４に記載の受信コイル。
【請求項６】
前記コネクタカバー部品は、制御信号に基づいて前記２つの並列するコイルエレメントの一つが活性状態になり、他の一つが不活性状態になるように結線された回路を具備することを特徴とする請求項４に記載の受信コイル。
【請求項７】
前記コイルエレメントのそれぞれには、前記制御信号が有する直流成分を遮断するデカップリング回路と直流遮断用コンデンサとが直列接続されていることを特徴とする請求項４に記載の受信コイル。
【請求項８】
前記コンデンサの定数は、前記コイルエレメントが有するインダクタンスに基づいて前記被検者から放出される磁気信号に共振するように決定されていることを特徴とする請求項４に記載の受信コイル。
【請求項９】
前記コネクタ部品は、前記第２モードにおいて前記コイルエレメントの一つに配列された複数のコンデンサを不活性状態にして前記コイルエレメントの他の一つが前記磁気信号に共振するようにコンデンサ定数を調整する回路を有することを特徴とする請求項８に記載の受信コイル。
【請求項１０】
静磁場を発生する静磁場発生装置と、前記静磁場中に置かれた被検者に核磁気共鳴を生じさせる高周波磁場を発生する高周波磁場発生装置と、前記被検者から発生する核磁気共鳴信号を検出する複数の受信コイルを具備する検出装置と、前記核磁気共鳴信号を用いて磁気共鳴画像を算出する演算装置と、前記演算装置で算出した画像を表示する表示装置とを有し、
前記受信コイルは、請求項１乃至９のいずれか一項に記載の受信コイルであることを特徴とする磁気共鳴イメージング装置。
【発明の詳細な説明】
【技術分野】
【０００１】
本発明は、受信コイル及びそれを用いた磁気共鳴イメージング装置に係り、例えば、核磁気共鳴（以下、ＮＭＲと略記する）現象を利用して被検者の任意断面を画像表示する磁気共鳴イメージング（以下、ＭＲＩと略記する）装置における受信コイルに関する。
【背景技術】
【０００２】
昨今のＭＲＩ装置においては、受信コイルの感度が画質などにおいてもきわめて重要である。その受信コイルは撮像部位に適応した形状になっており、その中にコンデンサと銅板のコイルとでＬＣ共振回路を形成している。また形状が変わらない固形タイプのものが多くを占める。受信コイルの形状は頭部、腹部および関節部などは被検者の体格に応じて、小、中、大など種類があるが、他の撮像部位に対応する受信コイルは１種類のみのものが少なくない。これは形状のカバーを作成するための型など作る設備が必要になり、複数作成する分、費用が多くかかるためである。  
ここで受信コイルの感度は被検者の撮像の対象部位が入る上で、できるだけ小径になることが望ましい。しかし頭部など小径のコイルを使用とすると鼻などごく一部分が入らないなどで、一回り大きいコイルを使用することになり、感度がその分低下することがあった。
【０００３】
この問題を解決する従来技術として、例えば、特許文献１には、鼻部などの隆起を越えて軸方向に実質的に垂直な一方向への張り出しを有する受信コイルを備えることにより、頭部を効果的に撮影するための受信コイルを用いた磁気共鳴信号測定装置が開示されている。
【先行技術文献】
【特許文献】
【０００４】
【特許文献１】特開２００１−１４９３３９号公報
【発明の概要】
【発明が解決しようとする課題】
【０００５】
ＭＲ撮像において、受信コイルは小径のものが望まれる。しかしながら、小径になると以下に述べる理由により必然的に適用できる被検者の数は限られるという問題が出てくる。ここで、小径でセッティングが困難な理由は、（１）被検者の対象部位自体が大きいために受信コイルに入らない、（２）被検者の対象部位の一部分（例えば、鼻、耳など）が受信コイルに干渉してセッティングが困難である、という２点が挙げられる。上記（１）での対象部位自体が大きい場合は、固形のコイルではセッティングが困難であるが、上記（２）では問題点は干渉する一部分のみである。ここで、干渉とは対象部位が受信コイルに物理的に接触する状態を指すものとする。
【０００６】
そこで、本発明の目的は、上記課題を解決するためになされてものであり、ＭＲ撮像において被検者の対象部位の一部分（例えば、鼻、耳など）が小径の受信コイルに干渉してセッティングが困難な部分を解決して、受信感度を向上させた小径の受信コイルを提供することである。
【課題を解決するための手段】
【０００７】
上記目的を達成するために、本発明になる受信コイルは以下の特徴を有する。  
撮影対象である被検者の頭部を収容する空間の軸方向に向かって同軸的に配置された受信コイルを有し、受信コイルは、コイルループの途中に設けられた接続部品を具備する第１モード、又は該接続部品が取り外され該コイルループが分断されてなる開放部分を有するコネクタカバー部品を具備する第２モードのいずれかを有し、被検者の一部との干渉状態に応じて、第１モードと第２モードとを切り換えるモード切り換え回路を備えることを特徴とする。
【０００８】
また、本発明になる磁気共鳴イメージング装置は、上記受信コイルを具備することを特徴とする。
【発明の効果】
【０００９】
本発明によれば、被検者の対象部位の一部分（例えば、鼻、耳など）がＭＲＩ装置に具備された小径の受信コイルに干渉してセッティングが困難な部分を解決して、受信感度を向上させた小径の受信コイルを提供することができる。
【図面の簡単な説明】
【００１０】
【図１】接続部品を使用した磁気共鳴イメージング装置用受信コイルを示す概略図である。
【図２】コネクタカバー部品を使用した磁気共鳴イメージング装置用受信コイルを示す概略図である。
【図３】接続部品を使用した磁気共鳴イメージング装置用受信コイルの内部回路を示す概略図である。
【図４】コネクタカバー部品を使用した磁気共鳴イメージング装置用受信コイルの内部回路を示す概略図である。
【図５】本発明に係るＭＲＩ装置の全体概要の一例を示す図である。
【発明を実施するための形態】
【００１１】
最初に、図５に基づいて本発明に係るＭＲＩ装置の全体概要の一例を説明する。  
図５は、本発明に係るＭＲＩ装置の一実施例の全体構成を示すブロック図である。このＭＲＩ装置は、ＮＭＲ現象を利用して被検者の断層画像を得るもので、図５に示すように、ＭＲＩ装置は静磁場発生系２と、傾斜磁場発生系３と、送信系５と、受信系６と、信号処理系７と、シーケンサ４と、制御ユニット（ＣＰＵ）８とを備えて構成される。
【００１２】
静磁場発生系２は、垂直磁場方式であれば、被検者１の周りの空間にその体軸と直交する方向に、水平磁場方式であれば、体軸方向に均一な静磁場を発生させるもので、被検者１の周りに永久磁石方式、常電導方式あるいは超電導方式の静磁場発生源が配置されている。
【００１３】
傾斜磁場発生系３は、ＭＲＩ装置の座標系（静止座標系）であるＸ，Ｙ，Ｚの３軸方向に傾斜磁場を印加する傾斜磁場コイル９と、それぞれの傾斜磁場コイルを駆動する傾斜磁場電源１０とから成り、後述のシ−ケンサ４からの命令に従ってそれぞれのコイルの傾斜磁場電源１０を駆動することにより、Ｘ，Ｙ，Ｚの３軸方向に傾斜磁場Ｇｘ，Ｇｙ，Ｇｚを印加する。撮影時には、スライス面（撮影断面）に直交する方向にスライス方向傾斜磁場パルス（Ｇｓ）を印加して被検者１に対するスライス面を設定し、そのスライス面に直交して且つ互いに直交する残りの２つの方向に位相エンコード方向傾斜磁場パルス（Ｇｐ）と周波数エンコード方向傾斜磁場パルス（Ｇｆ）を印加して、エコー信号にそれぞれの方向の位置情報をエンコードする。
【００１４】
シーケンサ４は、高周波磁場パルス（以下、「ＲＦパルス」という）と傾斜磁場パルスをある所定のパルスシーケンスで繰り返し印加する制御手段で、制御ユニット（ＣＰＵ）８の制御で動作し、被検者１の断層画像のデータ収集に必要な種々の命令を送信系５、傾斜磁場発生系３、および受信系６に送る。
【００１５】
送信系５は、被検者１の生体組織を構成する原子の原子核スピンに核磁気共鳴を起こさせるために、被検者１にＲＦパルスを照射するもので、高周波発振器１１と変調器１２と高周波増幅器１３と送信コイル１４ａとから成る。高周波発振器１１から出力されたＲＦパルスをシーケンサ４からの指令によるタイミングで変調器１２により振幅変調し、この振幅変調されたＲＦパルスを高周波増幅器１３で増幅した後に被検者１に近接して配置された送信コイル１４ａに供給することにより、ＲＦパルスが被検者１に照射される。
【００１６】
受信系６は、被検者１の生体組織を構成する原子核スピンの核磁気共鳴により放出されるエコー信号（ＮＭＲ信号）を検出するもので、磁気共鳴イメージング装置用の受信コイル１４ｂと信号増幅器１５と直交位相検波器１６と、Ａ／Ｄ変換器１７とから成る。送信コイル１４ａから照射された電磁波によって誘起された被検者１の応答のＮＭＲ信号が被検者１に近接して配置された受信コイル１４ｂで検出され、信号増幅器１５で増幅された後、シーケンサ４からの指令によるタイミングで直交位相検波器１６により直交する二系統の信号に分割され、それぞれがＡ／Ｄ変換器１７でディジタル量に変換されて、信号処理系７に送られる。
【００１７】
信号処理系７は、各種データ処理と処理結果の表示及び保存等を行うもので、光ディスク１９、磁気ディスク１８、ＲＯＭ２１、ＲＡＭ２２等の外部記憶装置と、ＣＲＴ等からなるディスプレイ２０とを有する。受信系６からのデータがＣＰＵ８に入力されると、ＣＰＵ８が信号処理、画像再構成等の処理を実行し、その結果である被検者１の断層画像をディスプレイ２０に表示すると共に、外部記憶装置の磁気ディスク１８等に記録する。
【００１８】
操作部２５は、ＭＲＩ装置の各種制御情報や上記信号処理系７で行う処理の制御情報を入力するもので、トラックボール又はマウス２３、及び、キーボード２４から成る。この操作部２５はディスプレイ２０に近接して配置され、操作者がディスプレイ２０を見ながら操作部２５を通してインタラクティブにＭＲＩ装置の各種処理を制御する。
【００１９】
なお、図５において、送信側の高周波コイル１４ａと傾斜磁場コイル９は、被検者１が挿入される静磁場発生系２の静磁場空間内に、垂直磁場方式であれば被検者１に対向して、水平磁場方式であれば被検者１を取り囲むようにして設置されている。また、受信側の高周波コイル１４ｂは、被検者１に対向して、或いは取り囲むように設置されている。
【００２０】
現在ＭＲＩ装置の撮像対象核種は、臨床で普及しているものとしては、被検者の主たる構成物質である水素原子核（プロトン）である。プロトン密度の空間分布や、励起状態の緩和時間の空間分布に関する情報を画像化することで、人体頭部、腹部、四肢等の形態または、機能を２次元もしくは３次元的に撮像する。
【実施例】
【００２１】
以下に、本発明の実施形態を添付図面に基づいて説明する。  
最初に、本発明に係る磁気共鳴イメージング装置用の受信コイル１４ｂの概略を図１および２に基づいて説明する。
【００２２】
≪受信コイル≫
図１および図２は、受信コイル１４ｂの概略の図である。受信コイル１４ｂは被検者１の撮像対象部位１０３（例えば、頭部など）を収容できる程度の径を有するループで構成される。受信コイルの径を被検者１の輪郭線より十分に大きくすれば、被検者１の撮像対象部位１０３と干渉はしないが、受信コイルの感度は、その受信コイルの径に反比例して急激に低下する。例えば、コイルの径を２倍にすると、受信感度はおおむね半減する。従って、受信コイルの径を大きくすることなく、撮像対象部位と干渉する部分を解消する構造を提示するのが本願発明である。
【００２３】
当該受信コイル１４ｂは、複数の並列するエレメント（コイルループ）が撮像空間の軸方向に同軸的に配列され構成される。本実施例では、一対のエレメントの場合について説明する。エレメントは上部コイル部分１０２と下部コイル部分１０１に分割できる構造であり、上部コイル部分１０２および下部コイル部分１０１のそれぞれを構成する上部コイル用回路および下部コイル用回路は、筐体の内部に埋め込まれていて、上部コイル用回路が埋め込まれている筐体と、下部コイル用回路が埋め込まれている筐体とは、図１に示すように取り外しができる構造となっている。
【００２４】
ここで、上部コイル用回路とは、図３、４で示すコイル線分断・結合部１２１ａと１２２ａとを結ぶ図中の上側のコイルを示し、下部コイル用回路とは、コイル線分断・結合部１２１ａと１２２ａとを結ぶ図中の下側のコイルを示すものとする。なお、上部コイル用回路および下部コイル用回路は、図１及び２では図示されていないが、図３及び４で詳細な回路構成を図示する。
【００２５】
なお、本実施例では、本願発明を上部コイル部分１０２と下部コイル部分１０１に分割できる構造を例に説明するが、分割をしない一体型コイルの場合にも適用できる。
【００２６】
図１において、被検者１の撮像対象部位１０３を受信コイル１４ｂ内に配置する際には、上部コイル部分１０２と下部コイル部分１０１とが取り外（分断）され、配置された後には分断された上部コイル部分１０２と下部コイル部分１０１とが機械的に結合される。同時に上部コイル用回路と下部コイル用回路とが電気的に接続され、撮像対象部位からの放出される信号を受信できるコイル形態に保持される。機械的に結合および電気的に接続は、コネクタ部２００ａ、２００ｂおよび２１０ｂ、２１０ｂを用いて行われる。
【００２７】
コネクタ部２００ａ及び２１０ａは、上部コイル部分１０２に設けられ、コネクタ部２００ｂ及び２１０ｂは、下部コイル部分１０１に設けられている。コネクタ部２００ａと２００ｂは、互いに勘合するように設定され、コネクタ部２１０ａと２１０ｂは、互いに勘合するように設定されている。
【００２８】
下部コイル部分１０１には被検者１の後頭部が載り、被検者１の顔面は上部コイル部分１０２の対向するように設置される。
【００２９】
図１は、接続部品１０４を使用した時の受信コイル１４ｂの概略の図である。  
上部コイル部分１０２は、コイル接続導線と制御信号の切り換え回路基板が内蔵された接続部品１０４が取り付けられ、適宜、取り外しが可能な構造となっている。
【００３０】
被検者１の顔面を上部コイル部分１０２に対向させて設置する際に、特に干渉（ここで、物理的な干渉、つまり、被検者１の撮像対象部位１０３の一部が受信コイル１４ｂと接触する状態を指すものとする）が無ければ接続部品１０４をそのまま使用する。
【００３１】
図１は、干渉が無い場合であり、接続部品１０４を用いた受信コイル１４ｂの例を示している。
【００３２】
しかしながら、被検者１の鼻などの撮像対象部位１０３の一部が物理的に干渉する場合は、図１に示す接続部品１０４をそのまま用いることはできない。
【００３３】
そこで、図２に示すような接続部品１０４が取り除かれた上部コイル部分１０２を用意する。図２は、接続部品１０４の代わりにコネクタカバー部品１０５を使用した時の磁気共鳴イメージング装置用受信コイル１４ｂの概略の図である。  
図２に示す上部コイル部分１０２は、接続部品１０４が取り付けられていた空間に相当する部分が開放された開放部２２０を備えるために、被検者１の撮像対象部位１０３の一部が干渉することはない。接続部品１０４が取り除かれた上部コイル部分１０２には、制御信号の切り換え回路基板１２４ｂが内蔵されたコネクタカバー部品１０５を取り付ける。  
なお、上部コイル部分１０２の開放部２２０には、一端に切り換え回路基板１２４ｂが設けられ、他端には上部コイル部分１０２が分断されて生じるコイル端部１２３が、図４に模式的に図示されている。
【００３４】
図２において、機械的に結合および電気的に接続は、図１と同様であり、コネクタ部２００ａ、２００ｂ及び２１０ａ、２１０ｂを用いて行われる。
【００３５】
上部コイル部分１０２において空間的に開放された構造とするには、受信コイル１４ｂの回路に工夫が必要であり、その詳細を以下に述べる。
【００３６】
なお、上述したような上部コイル部分１０２において空間的に開放された構造を有することにより、被検者の撮像対象部位１０３が受信コイルに干渉することが回避できる効果があり、また受信コイルを小径にしたままで撮像が可能となるので、高い感度での磁気信号の受信が可能となる効果がある。
【００３７】
≪モード切換え≫
従って、図１に示す接続部品１０４を有する上部コイル部分１０２と、図２に示すコネクタカバー部品１０５を取り付けた上部コイル部分１０２の２種類を準備し、必要に応じて使い分ける。
【００３８】
すなわち、被検者１と上部コイル部分１０２との干渉状態に応じて、接続部品１０４を装着するモードか、あるいはコネクタカバー部品１０５を有する別の接続部品を装着するモードかの「モード切換え」を行う。
【００３９】
「モード切換え」は、ＭＲＩ装置の操作者の判断によって適切な接続部品が選択されて装着されることにより行われる。
【００４０】
≪並列エレメント構成≫
次に、本発明に係る磁気共鳴イメージング装置用の受信コイル１４ｂの回路に関して、図３および図４に基づいて説明する。
【００４１】
受信コイル１４ｂの回路は、上部コイル用回路および下部コイル用回路で構成され、図３および図４に結線の詳細を示す。
【００４２】
先ず、図３はコイル接続用基板と制御信号の切り換え回路基板が内蔵された接続部品１０４と取り付けた時の結線状態を示す。
【００４３】
図３に示すように、受信コイル１４ｂが２つの並列エレメント１０８および１０９で構成されている。並列エレメントは、１ターンのソレノイドコイルが所定の間隔を保って互いに対向するように並行して配列されている。この構成で、SIGNAL線およびGROUND線を接続するコイル接続用基板１１６では、コンデンサ（１１０，１１１，１１２）をエレメント１０８、１０９それぞれにおいて３個づつ直列に配置し、それぞれのエレメント上の３個のコンデンサは、隣のエレメントと並列になるように取り付けられている。  
なお、コンデンサ１１１は１エレメント使用時のコンデンサであり、コンデンサ１１２は１エレメント使用時と２エレメント使用時における差分を調整するためのコンデンサである。
【００４４】
２つの並列した受信コイル１４ｂのエレメント１０８，１０９の動作状態で決定されるインダクタンスＬおよびコイル接続用基板１１６上に設けられたコンデンサＣにより、ＬＣ共振回路が形成され、コンデンサＣの定数は、ＬＣ共振回路の共振周波数とＮＭＲ信号の周波数とが一致するように決定される。
【００４５】
なお、エレメント１０８は、上部コイル１０２と下部コイル１０１とを取り外（分断）した時には、コイル線分断・結合部１２１ａ及び１２２ａが分断されるが、撮像時には上部コイル１０２と下部コイル１０１とは接続されるので、コイル線分断・結合部１２１ａ及び１２２ａも電気的に結合され、閉ループをなす。その閉ループの途中には、上述したコイル接続用基板１１６上に設けられた３つのコンデンサ１１０、１１１、１１２と、直流成分を遮断するコンデンサ１１４ａと、ディカップリング回路１１５ａとが直列に接続される。
【００４６】
また、エレメント１０９は、同様ように、上部コイル１０２と下部コイル１０１とを取り外（分断）した時には、コイル線分断・結合部１２１ｂ及び１２２ｂが分断されるが、撮像時には上部コイル１０２と下部コイル１０１とは接続されるので、コイル線分断・結合部１２１ｂ及び１２２ｂも電気的に結合され、閉ループをなす。その閉ループの途中には、上述したコイル接続用基板１１６上に設けられた３つのコンデンサ１１０、１１１、１１２と、直流成分を遮断するコンデンサ１１４ａと、ディカップリング回路１１５ａとが直列に接続され、さらに切り換え回路基板１２４ａが接続される。
【００４７】
エレメント１０８、１０９は、コイル接続用基板１１６に設けられた導体により電気的に結合される。
【００４８】
エレメント１０８、１０９で検出した信号は、SIGNAL線１０６およびGROUND線１０７を介して制御ユニットへ伝送される。
【００４９】
次に、図４は接続部品１０４が取り外され、代わりにコネクタカバー部品１０５を取り付けた時の結線状態を示す。
【００５０】
基本的な構成、すなわち、エレメント構成および電気部品との結線状態は、図３と同様であるが、接続部品１０４が取り外された部分のみ図３と異なる。
【００５１】
モード切り換え基板１２４ｂを用いる点と、モード切り換え基板１２４ｂとコイル接続用基板１１６との結線状態が異なる。結線状態とそれに伴う電気的な効果に関しては後述する。
【００５２】
≪切り換え回路基板≫
接続部品１０４およびコネクタカバー部品１０５には、切り換え回路基板１２４ａ、１２４ｂが内蔵されている。
【００５３】
先ず、図３における切り換え回路基板１２４ａについて説明する。  
図３は、接続部品１０４を使用した状態における切り換え回路基板１２４ａと結線状態を示す。
【００５４】
切り換え回路基板１２４ａは、コイルとコンデンサが並列に配置された共振回路１１８および１１９に接続される。制御信号は信号線１１７から共振回路１１８を経由して切り換え回路基板１２４ａへ入力される。該切り換え回路基板１２４ａに入力された制御信号は、共振回路１１９を経由してRETURN線１２０へと戻る。
【００５５】
従って、コイル接続用基板１１６へは制御信号は伝送されず、SIGNAL線およびGROUND線のコイル接続用基板１１６まで制御信号が届かない結線状態となる。エレメント１０９に接続されたコンデンサ１１０、１１１、１１２は活性状態に保持される。
【００５６】
次に、図４における切り換え回路基板１２４ｂについて説明する。  
図４は、接続部品１０４を取り外して、コネクタカバー部品１０５を取り付けた状態における切り換え回路基板１２４ｂと結線状態を示す。
【００５７】
切り換え回路基板１２４ｂは、図３と同様にコイルとコンデンサが並列に配置された共振回路１１８および１１９に接続される。制御信号は信号線１１７から共振回路１１８を経由して切り換え回路基板１２４ｂへ入力される。該切り換え回路基板１２４ｂに入力された制御信号は、SIGNAL線およびGROUND線のコイル接続用基板１１６まで伝送され、ダイオード１１３を経由して切り換え回路基板１２４ｂに戻り、さらに共振回路１１９を経由してRETURN線１２０へと戻る。
【００５８】
従って、エレメント１０９に接続されたコンデンサ１１０、１１１、１１２は不活性状態に保持される。
【００５９】
図３、４で示す切り換え回路基板１２４ａ、ｂの構造を説明する。  
図３で示す切り換え回路基板１２４ａは、基板上に互いに離隔して４つの電極パッドａ、ｂ、ｃ、ｄ（図示せず）が設けられ、信号線１１７は電極ａに接続され、RETURN線１２０は電極ｂに接続され、電極パッドｃ、ｄはコイル接続用基板１１６と結線されている。
【００６０】
電極パッドａ、ｂ間が導体により電気的コイル接続用基板いる。電極パッドａ、ｃ間及びｂ、ｄ間は電気的に結線されていない。従って、信号線１１７から電極パッドａに入力した信号は電極パッドａ、ｂ間を流れ、電極パッドｂからRETURN線１２０へ戻る経路を辿る。
【００６１】
一方、図４で示す切り換え回路基板１２４ｂは、基板上に互いに離隔して４つの電極パッドａ、ｂ、ｃ、ｄが設けられ、信号線１１７は電極ａに接続され、RETURN線１２０は電極ｂに接続され、電極パッドｃ、ｄはコイル接続用基板１１６と結線されている。
【００６２】
図４では、図３と電極パッド間の結線状態が異なる。すなわち、電極パッドａ、ｃ間が導体により電気的に結線され、電極パッドｂ、ｄ間が電気的に結線されている。従って、信号線１１７から電極パッドａに入力した信号は電極パッドａ、ｃ間を流れ、電極パッドｃからコイル接続用基板１１６へ流れ、電極パッドｄに戻り、電極パッドｂ、ｄ間を流れてRETURN線１２０へ戻る経路を辿る。
【００６３】
≪コンデンサ定数の調整≫
図３の状態では、接続部品１０４を使用しているので一方のエレメント１０８と同様に他方のエレメント１０９も閉ループを構成して一対の並列コイルとして成立している。
【００６４】
エレメント１０８、１０９が有するインダクタンスＬとコンデンサ１１０、１１１、１１２により決定される共振回路が活性状態となり、被検者１から放出されるエコー信号（ＮＭＲ信号）を検出される。検出した信号は、SIGNAL線１０６およびGROUND線１０７の信号線を経由して制御ユニット（ＣＰＵ）８に送られる。なお、SIGNAL線１０６およびGROUND線１０７の信号線は、図１に示す端子１００から引き出される。
【００６５】
一方、図４では、接続部品１０４を使用しない場合で、他方のエレメント１０９の上側コイルを分断しているため閉ループを構成するコイルとしては成立しない。
【００６６】
従って、一方のエレメント１０８は閉ループを構成しているが、他方のエレメント１０９は閉ループを構成するコイルとしては成立しないので、一対の並列コイルが成立していない。
【００６７】
つまり、エレメント１０９に直列接続されたコンデンサ定数１１０，１１１，１１２をエレメント１０８に並列にコイル接続用基板上に配置したままであると、エレメント１０９がなくなった分だけＬ成分が増加し、ＮＭＲ信号の周波数と一致するように決定された所定のコンデンサ定数より多く取り付けられていることになる。その余分なコンデンサ定数を解消するために、コンデンサ部分１１２に、並列にダイオード１１３を取り付け、１エレメント１０８では所定のコンデンサ定数になるように調整する。
【００６８】
コネクタカバー部分１０５内部には、制御信号用の切り換え回路基板１２４ｂが設けられ、当該切り換え回路基板１２４ｂから制御信号をSIGNAL線およびGROUND線が結線されたコイル接続用基板１１６上のダイオード１１３に流す。その制御信号により、ダイオード１１３に並列に取り付けられたコンデンサ部分１１２を短絡した状態し、その余分なコンデンサ定数を調整する。
【００６９】
ところで、上述したダイオードに流す制御信号は直流である。そのために、受信コイル14ｂ本体に影響を与えないようするために、エレメントの途中で直流成分を遮断するコンデンサ１１４を挿入する。エレメントの反対側はコンデンサ１１１で遮断されるため高周波コイルとの干渉を防止するディカップリング回路１１５ａ、１１５ｂには影響を与えない。
【００７０】
以上述べた構成により、接続部品１０４を使用した時でも、コネクタカバー部品１０５を使用した時でも、ダイオードを制御する信号を変更せずに使用することが可能となる効果を有する。
【００７１】
なお、上述した本願発明は、上部コイル部分１０２と下部コイル部分１０１に分割できる構造を例に説明したが、一体型コイルの場合にも適用できる。
【符号の説明】
【００７２】
１：被検者、２：静磁場発生系、３：傾斜磁場発生系、４：シーケンサ、５：送信系、６：受信系、７：信号処理系、８：制御ユニット（ＣＰＵ）、９：傾斜磁場コイル、１０：傾斜磁場電源、１４ａ：送信コイル、１４ｂ：受信コイル、１５：信号増幅器、１６：直交位相検波器、１７：Ａ／Ｄ変換器、１８：磁気ディスク、１９：光ディスク、２０：ディスプレイ、２１：ＲＯＭ、２２：ＲＡＭ、２３：トラックボール又はマウス、２４：キーボード２５、：操作部、
１０１：受信コイルの下部コイル部分、
１０２：受信コイルの上部コイル部分、
１０３：被検者の撮像対象部位、
１０４：接続部品、
１０５：コネクタカバー部品、
１０６：ＮＭＲ信号伝達用ＳＩＧＮＡＬ線、
１０７：ＮＭＲ信号伝達用ＧＲＯＵＮＤ線、
１０８：受信コイルのエレメント、
１０９：受信コイルのエレメント、
１１０：コンデンサ、
１１１：１エレメント用コンデンサ、
１１２：１エレメント使用時と２エレメント使用時との差分調整用コンデンサ、
１１３：ダイオード、
１１４ａ,１１４ｂ：直流成分遮断用コンデンサ、
１１５ａ,１１５ｂ：ディカップリング回路、
１１６：コイル接続用基板、
１１７：信号線、
１１８：信号線用共振回路、
１１９：Ｒｅｔｕｒｎ線用共振回路、
１２０：Ｒｅｔｕｒｎ線、
１２１ａ,１２１ｂ：コイル線分断・結合部、
１２２ａ,１２２ｂ：コイル線分断・結合部、
１２３：コイル端部、
１２４ａ,１２４ｂ：切り換え回路基板、
２００ａ,２００ｂ：コネクタ部、
２１０ａ,２１０ｂ：コネクタ部、
２２０：開放部。
【図１】
2014158526.tif 000003
【図２】
2014158526.tif 000004
【図３】
2014158526.tif 000005
【図４】
2014158526.tif 000006
【図５】
2014158526.tif 000007